(57)【要約】【課題】洗浄成分に加えて、機能成分に由来する付加的機能がより確実に発揮される石鹸を得る。【解決手段】石鹸は、石鹸成分を主体として、内部に収容空間２を有する中空殻状に形成された石鹸容器１と、収容空間２内に封入された封入体３とを含む。石鹸容器１には、該石鹸容器１を構成する殻部４を破壊して、収容空間２からの封入体３の取り出しを容易にするための易破壊部５が設けられている。封入体３は、石鹸成分に由来する洗浄機能と異なる付加的機能を発揮する機能成分を含む。これより、石鹸を用いた洗顔、或いは手洗い時等に、易破壊部５を破壊して収容空間２から封入体３を取り出して、封入体３に含まれる機能成分と石鹸成分とを容易に混合させることができる。従って、本発明によれば、石鹸成分に由来する洗浄機能に加えて、機能成分に由来する付加的機能（例えば保湿機能）を、肌面に対して確実に作用させることができる。【選択図】図１
2016017132.tif 000002
【特許請求の範囲】
【請求項１】
石鹸成分を主体として、内部に収容空間（２）を有する中空殻状に形成された石鹸容器（１）と、該石鹸容器（１）の収容空間（２）内に封入された封入体（３）とを含み、
前記石鹸容器（１）には、該石鹸容器（１）を構成する殻部（４）を破壊して、前記収容空間（２）からの前記封入体（３）の取り出しを容易にするための易破壊部（５）が設けられており、
前記封入体（３）が、石鹸成分に由来する洗浄機能と異なる付加的機能を発揮する機能成分を含むものであることを特徴とする石鹸。
【請求項２】
前記封入体（３）が、液状体である請求項１に記載の石鹸。
【請求項３】
前記石鹸容器（１）の収容空間（２）を区画する内面が、前記封入体（３）と石鹸容器（１）との直接的な接触を阻止することを目的とする水溶性のバリア層（６）で覆われている請求項１または２に記載の石鹸。
【請求項４】
封入体（３）が、高粘度の液状体である請求項２または３に記載の石鹸。
【請求項５】
石鹸容器（１）の外形形状が真球殻状または楕円球殻状に形成されている請求項１から４のいずれかひとつに記載の石鹸。
【請求項６】
直線列状またはマトリクス状に配置された複数の石鹸容器（１）が一体に形成されて、石鹸集合体（１０）が構成されており、
それぞれ隣り合う石鹸容器（１）の間に分割スリット（１１）が形成されており、
石鹸集合体（１０）を分割スリット（１１）に沿って折り取ることにより、石鹸集合体（１０）から石鹸容器（１）を分離することができるように構成されている請求項１から４のいずれかひとつに記載の石鹸。
【発明の詳細な説明】
【技術分野】
【０００１】
本発明は、石鹸成分に由来する洗浄機能に加えて、保湿機能や殺菌機能などの付加的機能を備えた多機能型の石鹸に関する。
【背景技術】
【０００２】
この種の多機能型の石鹸の従来例としては、例えば特許文献１に記載の石鹸を挙げることができる。この特許文献１には、外側の石鹸（固形石鹸本体）と、機能成分を含む内側の石鹸とからなる多層構造の組み合わせ石鹸が開示されている。これら内外の石鹸は、共に石鹸素地を固形化してなる固形石鹸からなる。
【先行技術文献】
【特許文献】
【０００３】
【特許文献１】特開２０１２−６２４５５号公報
【発明の概要】
【発明が解決しようとする課題】
【０００４】
特許文献１に記載の組み合わせ石鹸によれば、洗浄機能に加えて、内側の石鹸に含まれる機能成分に由来する各種効能を付与することができるので、個人の肌質や好みに応じた石鹸を提供することができる。しかしながら、特許文献１に記載の石鹸では、石鹸本体のみならず、内外の両石鹸が固形石鹸で形成されているため、一回目の使用から機能成分に由来する効能を確実に得ることはできない。すなわち、この組み合わせ石鹸では、外側の石鹸の消費後に内側の石鹸が現出されるようになっており、当該内側の石鹸が現出されるまでは、機能成分に由来する各種効能が全く発揮されない。このため、機能成分に由来する各種効能を得ることができるとは限らず、その点に改良の余地があった。また、内側の石鹸に含まれる機能成分の溶け出し量に応じて、機能成分に由来する効能が発揮されるため、機能成分の溶け出し量が少ない場合には、その効能が良好に発揮されず、この点にも不利があった。
【０００５】
本発明は、以上のような従来の多機能型石鹸の備える問題を解決するためになされたものであり、洗浄成分に加えて、機能成分に由来する付加的機能がより確実に発揮される石鹸を得ることにある。
【課題を解決するための手段】
【０００６】
本発明に係る石鹸は、石鹸成分を主体として、内部に収容空間２を有する中空殻状に形成された石鹸容器１と、該石鹸容器１の収容空間２内に封入された封入体３とを含む。石鹸容器１には、該石鹸容器１を構成する殻部４を破壊して、収容空間２からの封入体３の取り出しを容易にするための易破壊部５が設けられている。封入体３は、石鹸成分に由来する洗浄機能と異なる付加的機能を発揮する機能成分を含む。
【０００７】
本発明における易破壊部５とは、殻部４の一部に形成された薄肉部などを意味し、石鹸容器１に対して、使用者が手指や掌を使って圧力を加えた際に部分的に破壊される殻部４、或いは使用者が手指や掌を使って殻部４を溶解させた際に部分的に破壊される殻部４を意味する。尤も、部分的では無く、全体の殻部４の厚み寸法を薄くして、全方位から、殻部４が圧力或いは溶解によって壊れ易くなっている形態であってもよく、要は、本発明における易破壊部５とは、使用者が石鹸を使用する際に容易に破壊されて、石鹸容器１から封入体３が漏れ出す部位を意味する。
【０００８】
また、本発明における、付加的機能を発揮する機能成分としては、保湿成分、殺菌成分、清涼成分、マッサージ成分、あるいは洗浄補助成分などを挙げることができる。各種の薬用成分であってもよい。
【０００９】
封入体３は、液状体とすることができる。ここで言う液状体とは、液状体に粉体や粒状体などの固形物が混合されたものも含む概念である。
【００１０】
石鹸容器１の収容空間２を区画する内面が、封入体３と石鹸容器１との直接的な接触を阻止することを目的とする水溶性のバリア層６で覆われている形態を採ることができる。バリア層６の具体例としては、水溶性のセルロース化合物、ゼラチンなどを挙げることができる。
【００１１】
封入体３は、高粘度の液状体であってもよい。
【００１２】
石鹸容器１の外形形状は、真球殻状または楕円球殻状に形成することができる。
【００１３】
本発明の石鹸は、直線列状またはマトリクス状に配置された複数の石鹸容器１が一体に形成されて、石鹸集合体１０が構成されている形態を採ることができる。この場合には、それぞれ隣り合う石鹸容器１の間に分割スリット１１が形成されている。そして、石鹸集合体１０を分割スリット１１に沿って折り取ることにより、石鹸集合体１０から石鹸容器１を分離することができるように構成されている。
【発明の効果】
【００１４】
本発明に係る石鹸においては、石鹸成分（石鹸素地）を主体とする中空殻状の石鹸容器１の収容空間２内に、付加的機能を発揮する機能成分を含む封入体３を封入した。加えて、石鹸容器１の殻部４に、収容空間２からの封入体３の取り出しを容易にするための易破壊部５を設けた。これによれば、石鹸を用いた洗顔、或いは手洗い時等に、易破壊部５を破壊して収容空間２から封入体３を取り出して、封入体３に含まれる機能成分と石鹸成分とを容易に混合させることができる。従って、石鹸成分に由来する洗浄機能に加えて、機能成分に由来する付加的機能（例えば保湿機能）を、肌面に対して確実に作用させることが可能となる。以上より、本発明によれば、洗浄機能に加えて付加的機能を確実に発揮し得る、信頼性に優れた多機能型の石鹸を得ることができる。また、本発明は、使用に際して必ず易破壊部５が破壊されるようにしたので、一回の使い切り型の石鹸を得ることができる。すなわち、本発明によれば、洗浄機能と付加的機能とを兼ね備えた一回の使い切り型の石鹸を得ることができる。
【００１５】
本発明のように、石鹸容器１の内部に付加的機能を発揮する機能成分を含む封入体３を封入してあると、機能成分の選択幅が広がるため、多種多様な付加的機能を石鹸に付与することが可能となる。すなわち、従来のような固形状の石鹸成分に機能成分を練り込む形態では、石鹸成分と機能成分との親和性の問題、機能成分を添加することに伴う石鹸成分の固化機能の低下問題、さらには石鹸成分との反応に起因する機能成分の劣化問題などから、石鹸成分に対して添加できる機能成分の種別、或いは機能成分の添加量には制限があった。これに対して、本発明のように、石鹸容器１の内部に付加的機能を発揮する機能成分を含む封入体３を封入してあると、上記のような石鹸成分と機能成分との親和性等の問題は生じ難く、機能成分の選択幅を格段に広げることができるので、多種多様な付加的機能を石鹸に付与することが可能となる。同時に、より多量（適量）の機能成分を石鹸内部に加えることができるので、より確実に付加的機能を発揮させることができる。
【００１６】
また、易破壊部５が殻部４に設けられていると、該易破壊部５の破壊に伴って、殻部４が複数個の小片に分離され易くなる。このことは、水分或いは肌面と、殻部４を構成する石鹸成分との接触面積が増えることを意味し、結果として泡立ち性能に優れた石鹸を得ることができる。
【００１７】
本発明に係る石鹸は、石鹸容器１を透明（完全透明、半透明、或いは着色透明を含む）として、収容空間２内に封入された封入体３を視認し得るような形態とすることができる。また、この場合には、封入体３に着色を施して、石鹸容器１を介して着色された封入体３を視認できるようにすることが望ましい。これによれば、使用者は石鹸容器１内における封入体３の様子（封入体３が液状体である場合には、該封入体３が揺れ動く様子）を視認することができるので、趣向性に富んだ石鹸を得ることができる。また、アメニティグッズとして、或いはギフト商品として適した石鹸を得ることができる。
【００１８】
封入体３を液状体としてあると、泡立てられた石鹸に対する封入体３の混合が容易となるため、より容易に石鹸成分に機能成分を馴染ませることができる。つまり、石鹸成分に、機能成分を万遍無く行き渡らせることが可能となる。これにて、信頼性に優れた多機能型の石鹸を得ることができる。
【００１９】
石鹸容器１と封入体３の接触を阻止するバリア層６で石鹸容器１の内面を覆うと、石鹸容器１が封入体３で溶解されるなどにより、石鹸成分、或いは機能成分が、変質ないし劣化することを確実に防ぐことができる。従って、石鹸容器１を構成する石鹸成分が変質等することに起因して、石鹸容器１が不用意に破壊されること、或いは、機能成分が変質等することにより機能成分が損なわれることなどを効果的に防ぐことができる。したがって、信頼性に加えて、長期保存性に優れた多機能型の石鹸を得ることができる。
【００２０】
封入体３を高粘度の液状体としてあると、石鹸を両方の掌を擦り合わせて泡立てる際に、封入体３が飛散するのを効果的に防ぐことができる。また、封入体３は掌上で流動し難いため、石鹸を泡立てる際に、石鹸成分と機能成分とを十分に馴染ませたのち、洗顔や手洗いを行うことができる。従って、肌面に機能成分に由来する付加的機能の効果を確実に作用させることができる。
【００２１】
石鹸容器１が真球殻状または楕円球殻状に形成されていると、掌に刺激を与える角部が無い分だけ、違和感無く石鹸を泡立てることができる。
【００２２】
直線列状またはマトリクス状に配置された複数の石鹸容器１を一体に形成して石鹸集合体１０を構成し、それぞれ隣り合う石鹸容器１の間に分割スリット１１を形成して、分割スリット１１に沿って石鹸集合体１０から石鹸容器１を分離できるようにした。これによれば、複数回分の石鹸容器１を一まとめにしてコンパクトに保管、あるいは携帯することができる。また、洗顔あるいは手洗い時には、分割スリット１１に沿って一個の石鹸容器１を容易に分離して、洗顔あるいは手洗いを行うことができる。
【図面の簡単な説明】
【００２３】
【図１】本発明の第１実施形態に係る洗顔石鹸の縦断面図である。
【図２】本発明の第２実施形態に係る洗顔石鹸の斜視図である。
【図３】本発明の第３実施形態に係る洗顔石鹸の斜視図である。
【図４】図３におけるＡ−Ａ線断面図である。
【発明を実施するための形態】
【００２４】
（第１実施形態）  図１に本発明に係る石鹸を、保湿効果を付加した洗顔石鹸に適用した第１実施形態を示す。洗顔石鹸は、図１に示すように石鹸成分を主体として内部に収容空間２を有する中空殻状に形成された石鹸容器１と、該石鹸容器１の収容空間２内に封入された封入体３とで構成される。
【００２５】
石鹸容器１は真球殻状に形成されている。すなわち、石鹸容器１は、外形形状が真球状に形成された殻部４を有し、その内部に円球状の収容空間２が設けられている。殻部４の肉厚は、石鹸容器１の直径寸法に比べて格段に小さく設定されている。より具体的には、殻部４の肉厚寸法は、石鹸容器の直径寸法の１／１０〜１／５程度に設定されており、本実施形態では、石鹸容器１の直径寸法が約１５ｍｍであるのに対して、殻部４の肉厚寸法は１．５ｍｍ〜３ｍｍに設定されている。このように、殻部４の肉厚寸法が小さく設定されていると、石鹸の使用時に手指先、或いは掌で殻部４に押圧力を加えて、殻部４を破壊すること、或いは、石鹸の使用時に溶解により殻部４を破壊して、収容空間２から封入体３を取り出すことが容易となる。すなわち、本実施形態では、殻部４の肉厚寸法を小さくして、殻部４の全体を使用時に容易に壊れる易破壊部５としている。
【００２６】
石鹸容器１を構成する石鹸成分としては特に限定されず、例えば、飽和脂肪酸のナトリウム塩や合成界面活性剤などの公知の成分を用いることができる。石鹸容器１は、石鹸成分のみで構成してもよいし、水溶性のセルロース化合物やゼラチンなどをバインダーと共に含むものであってもよい。また、着色料や香料などを配合して石鹸容器１に色や香りを付けることができる。また、石鹸容器１は、透明、半透明、着色透明などにすることができる。
【００２７】
石鹸容器１の収容空間２内に封入される封入体３は、機能成分を含む高粘度の液状体からなる。機能成分の具体例としては、例えば、ヒアルロン酸、コラーゲン、ローヤルゼリー、或いはプラセンタから選択される１種、又は２種以上の保湿成分を挙げることができる。尤も機能成分としては、上記保湿成分以外に、殺菌成分、清涼成分、マッサージ成分、あるいは洗浄補助成分などを挙げることができる。各種薬用成分であってもよい。封入体３の最も好ましい形態は、ゲル状のヒアルロン酸である。封入体３には、着色を施すことができる。
【００２８】
石鹸容器１の収容空間２を区画する内面には、封入体３と石鹸容器１との直接的な接触を阻止することを目的としてバリア層６が形成されている。すなわち、バリア層６は、石鹸成分と封入体３、或いは石鹸成分と機能成分との間で、化学的な変質や劣化が生じることを防ぐ目的で形成される。かかるバリア層６の形成素材には、石鹸成分、および機能成分等と接触しても変質しないこと、および水溶性であることが求められる。以上のような条件を満たす具体的なバリア層６の形成素材としては、水溶性のセルロース化合物、ゼラチンなどを挙げることができる。石鹸容器１と同様に、バリア層６は、透明、半透明、或いは着色透明などにすることができる。
【００２９】
以上のような構成からなる洗顔石鹸は、二つの半球殻状の前段体を真球状に接合して得ることができる。具体的には、まず、石鹸成分を固化させて、一対の半球殻状の前段体を形成する。次に、各前段体の内面にバリア層６を形成する。最後に、一方の前段体の内面凹部に封入体３を注入したうえで、他方の前段体を被せ付けて、両者の接合部分を一部溶解して接合する。以上により、真球状の洗顔石鹸を得ることができる。なお、本実施形態における石鹸の製造方法は、上記製造方法に限られず、例えば、２個の前段体を接合するなどの方法により、真球殻状の石鹸容器１を得たのち、注射器等を使って収容空間２内に封入体３を注入する製法を採っても良い。注射器を使う場合には、封入体３の注入作業後に注入口を塞ぐことが必要である。また、中空状のバリア層６内に封入体３を封入したものを得たのち、加熱して液状化した石鹸素地に浸漬することにより、バリア層６の表面に石鹸容器１を形成してもよい。このとき、複数回浸漬することにより、石鹸容器１を積層状に形成できるので、石鹸容器１の厚み寸法を自在に設定することができる。
【００３０】
また、本実施形態に係る洗顔石鹸は、水又は湯に浸した両方の掌で擦り合わされることにより使用に供される。このとき、掌、或いは手指により、薄肉の殻部４に対して押圧力を加えて薄肉の殻部４を破壊することにより、或いは、溶解により薄肉の殻部４を破壊することにより、収容空間２から封入体３を取り出すことができる。また、取り出された封入体３を、泡立った石鹸成分に容易に混合させることができる。また、このとき、該殻部４が複数個の小片に分離されるため、水分や掌と殻部４との接触面積を増やして、殻部４に含まれる石鹸成分を容易に泡立たせることができる。その後は、機能成分が混合された石鹸成分を用いて洗顔を行うことにより、肌面を洗浄するとともに、保湿機能等の効能を肌面に付与することができる。
【００３１】
以上のように、本実施形態に係る洗顔石鹸においては、石鹸成分を主体とする薄肉の中空殻状の石鹸容器１の収容空間２内に、付加的機能を発揮する機能成分を含む封入体３を封入したので、洗顔石鹸の使用時には、石鹸容器１を構成する殻部４を破壊して、収容空間２から封入体３を取り出して、封入体３に含まれる機能成分と石鹸成分とを容易に混合させることができる。従って、この洗顔石鹸によれば、石鹸成分に由来する洗浄機能に加えて、機能成分に由来する付加的機能（例えば保湿機能）を、肌面に対して確実に作用させること可能となる。つまり、洗浄機能に加えて付加的機能を確実に発揮し得る、信頼性に優れた多機能型の洗顔石鹸を得ることができる。また、この洗顔石鹸は、使用に際して必ず薄肉状の殻部４が破壊されるので、一回の使い切り型の洗顔石鹸とすることができる。すなわち、洗浄機能と付加的機能とを兼ね備えた一回の使い切り型の洗顔石鹸とすることができる。
【００３２】
石鹸容器１の内部に付加的機能（保湿機能）を発揮する機能成分を含む封入体３を封入したので、従来のような固形状の石鹸成分に機能成分を練り込む形態では不可避となる、石鹸成分と機能成分との親和性の問題、機能成分を添加することに伴う石鹸成分の固化機能の低下問題、さらには石鹸成分との反応に起因する機能成分の劣化問題などを解消できる。以上より、機能成分の選択幅と機能成分の添加量を大きくすることができるので、洗顔石鹸に所望の付加的機能を確実に付与することができる。
【００３３】
また、使用に際しては、殻部４が破壊されることで、該殻部４が複数個の小片に分離される。従って、本実施形態に係る洗顔石鹸は、水分或いは肌面と、殻部４を構成する石鹸成分との接触面積が増えるため、泡立ち性能に優れたものとなる。
【００３４】
石鹸容器１を透明（完全透明、半透明、或いは着色透明を含む）とするとともに、封入体３に着色を施して、石鹸容器１を介して封入体３を視認することができるようにしたので、使用者は液状体である封入体３が石鹸容器１内において揺れ動く様子を視認することが可能となる。例えば、石鹸容器１を半透明の黄色とし、封入体３を半透明の青色とした場合、洗顔石鹸の見た目を、周縁部分が黄色であり、中心部分が緑色である洗顔石鹸とすることができ、洗顔石鹸を指で揺り動かすことで緑色の封入体３が揺れ動く様子を視認できる。このように、本実施形態に係る洗顔石鹸では、見た目の印象を多様に変化させることができるので、趣向性に富んだものとすることができる。また、アメニティグッズとして、或いはギフト商品として適した洗顔石鹸とすることができる。
【００３５】
上述のように、封入体３を液状体としたので、泡立てられた石鹸に対する封入体３の混合が容易となる。これにより、より容易に石鹸成分に機能成分を馴染ませることができる。つまり、石鹸成分に、機能成分を万遍無く行き渡らせることが可能となるので、本実施形態に係る洗顔石鹸は、洗浄機能に加えて保湿機能が確実に発揮され得るものとなる。
【００３６】
また、封入体３を高粘度の液状体としたので、石鹸を両方の掌を擦り合わせて泡立てる際に、封入体３が飛散するのを効果的に防ぐことができる。また、封入体３は掌上で流動し難いので、石鹸を泡立てる際に、石鹸成分と機能成分とを十分に馴染ませたのち、洗顔や手洗いを行うことができ、肌面に機能成分に由来する保湿機能の効果を確実に作用させることができる。
【００３７】
バリア層６で石鹸容器１の内面を覆い、石鹸容器１と封入体３の接触を阻止したので、石鹸容器１が封入体３で溶解されるなどにより、石鹸成分、或いは機能成分が、変質ないし劣化することを確実に防ぐことができる。これより、石鹸容器１を構成する石鹸成分が変質等することに起因して、石鹸容器１が不用意に破壊されること、或いは、機能成分が変質等することにより機能成分が損なわれることなどを効果的に防ぐことができる。従って、本実施形態に係る洗顔石鹸は、長期保存性に優れるものとなる。
【００３８】
石鹸容器１を真球殻状に形成したので、掌に刺激を与える角部が無い分だけ、違和感無く石鹸を泡立てることができる。
【００３９】
本実施形態の洗顔石鹸では、石鹸容器１を真球殻状に形成したが、楕円球殻状に形成してもよい。この場合にも、掌に刺激を与える角部が無い分だけ、違和感無く石鹸を泡立てることができる。また、石鹸容器１は、サイコロ状、三角錐状、あるいは四角錐台状など、各種三次元形状の中空殻体で形成することができる。なお、角部を有する三次元形状に石鹸容器１を形成した場合には、該角部を丸めるように形成することで、泡立て時に手の平に与える刺激を小さくすることができる。
【００４０】
（第２実施形態）  図２に本発明に係る石鹸の第２実施形態を示す。本実施形態では、第１実施形態の洗顔石鹸を、図２に示すようにフィルム状の包装体７でキャンディのように包み込んで包装した。このように、フィルム状の包装体７で洗顔石鹸を包装すると、包装体７から洗顔石鹸を取り出すまで、石鹸容器１の表面が他物と接触することがなく、洗顔石鹸を衛生的に保管することができる。また、包装体７に文字や絵柄を印刷することにより、アメニティグッズとして、或いはギフト商品として適した趣向性に富んだ洗顔石鹸を得ることができ、購買者に対する訴求効果を高めて、購買意欲を引き出すことができる。包装体７に、機能成分の具体的な構成を表示することもできる。フィルム状の包装体７で包まれた洗顔石鹸は、複数個を整列させた状態で箱体に詰める、あるいは複数個を袋体内に詰める状態の流通形態を採ることができる。
【００４１】
（第３実施形態）  図３および図４に本発明に係る石鹸の第３実施形態を示す。本実施形態では、マトリクス状に配置された複数の石鹸容器１を一体に形成して、石鹸集合体１０が構成されている点が先の第１実施形態と大きく異なる。図４に示すように、石鹸容器１は、外形形状が四角錐台状に形成された殻部４を有し、殻部４の下底の周縁部には、枠部１３が形成されている。殻部４の内部に収容空間２が設けられている。この石鹸容器１を３列３行のマトリクス状に配置して、隣接する枠部１３を連結して一体化することにより、図３に示すように板チョコレート状の石鹸集合体１０が構成されている。本実施形態においても、殻部４の全体を使用時に容易に壊れる易破壊部５としている。
【００４２】
それぞれ隣り合う石鹸容器１の間には、分割スリット１１が形成されており、分割スリット１１に沿って石鹸集合体１０を折り取ることにより、石鹸集合体１０から石鹸容器１が分離できるようになっている。図４に示すように、分割スリット１１は、表面側および裏面側の両面に形成されており、分割スリット１１に沿って山折り状または谷折り状のいずれの方向に折曲げた場合でも、容易に折り取ることができる。それ以外の点は、先の第１実施形態と同様であるので、同一の部材には同様の符号を付して、その説明を省略する。
【００４３】
本実施形態の洗顔石鹸は、３列３行のマトリクス状に膨出部を形成した上側前段体と、平板状の下側前段体とを接合して得ることができる。具体的には、まず、分割スリット１１を設けた上下一対の前段体を形成する。次に、上下の前段部の内面にバリア層６を形成する。最後に、上側前段体の各膨出部の内面凹部に封入体３を注入したうえで、下側前段部を被せ付けて、両者の接合部分を一部溶解して接合する。以上により、板チョコレート状の石鹸集合体１０を得ることができる。なお、本実施形態における石鹸の製造方法は、上記製造方法に限られない。製造後の石鹸集合体１０は、全体を覆うことができる包装体（図示していない）で包装して保管や流通に供することができる。
【００４４】
上記のように、本実施形態では、マトリクス状に配置された複数の石鹸容器１を一体に形成して石鹸集合体１０を構成し、それぞれ隣り合う石鹸容器１の間に分割スリット１１を形成し、そして、分割スリット１１に沿って石鹸集合体１０から石鹸容器１を分離できるようにした。これによれば、複数回分の洗顔石鹸を一まとめにしてコンパクトに保管、あるいは携帯することが可能となる。また、洗顔時には、分割スリット１１に沿って一個の洗顔石鹸を容易に分離して、洗顔を行うことができる。
【００４５】
本実施形態においては、石鹸容器１をマトリクス状に配置して石鹸集合体１０を構成したが、石鹸容器１を直線列状に配置して石鹸集合体１０を構成してもよい。石鹸集合体１０を構成するそれぞれの石鹸容器１に封入される封入体３は、すべて同じ機能成分を含む必要はなく、それぞれ異なる機能成分を含む封入体３を封入してもよい。
【００４６】
上記の各実施形態では、封入体３を高粘度の液状体で構成したが、封入体３は、ジェリー状、粉状、ゾル状などであってもよく、また、液状体に粉体や粒状体などの固形物を混合してもよい。保湿効果を発揮する機能成分に替えて、殺菌効果、清涼効果が発揮できる機能成分を採用することができる。殺菌成分としては、例えば、イソプロピルメチルフェノール、サリチル酸などの公知の成分を用いることができる。清涼成分としては、例えば、メントール、カンフル、ハッカ油などの公知の成分を用いることができる。また、複数の付加的機能を発揮できるように、２種以上の機能成分を混合してもよい。保湿効果、殺菌効果、あるいは清涼効果を発揮する機能成分は、上記に記載したものに限られず、各効果を発揮できる機能成分を採用することができる。封入体３にマッサージ効果、あるいは洗浄補助効果が発揮できる機能体を含ませてもよく、機能体としては、ビーズ、微小粒状体などを挙げることができる。第１実施形態の洗顔石鹸を複数個用意し、これを直線列状またはマトリクス状に連結して第３実施形態と同様に集合体化することができる。
【符号の説明】
【００４７】
１  石鹸容器
２  収容空間
３  封入体
４  殻部
５  易破壊部
６  バリア層
１０  石鹸集合体
１１  分割スリット
【図１】
2016017132.tif 000003
【図２】
2016017132.tif 000004
【図３】
2016017132.tif 000005
【図４】
2016017132.tif 000006